(57)【要約】【課題】構築物に配設されている各種配管を修復するために、配管貫通部の周域面を配管と略同心で且つ極小径に円切りする配管貫通部周囲の円切り切断機を提供する。【解決手段】配管Ａを受け入れて回動自在に支持される抱持部１と、駆動装置２に伝動手段を介して一体的に枢着された皿状の回転刃３と、前記抱持部１に前記駆動装置２を連結する機体４とを備え、前記駆動装置２は機体４に対して所定の方向と長さに摺動を規制する摺動規制手段５による規制範囲において摺動自在に連結されていると共に、前記回転刃３は皿状の凹面側が前記抱持部１側に隣設配置されており、駆動装置２の摺動による回転刃３の摺動と、機体４の押動による配管Ａを中心とした回転刃３の回動とにより、配管貫通部の周域面Ｂを配管Ａと略同心で且つ極小径に円切りするものである。【選択図】　　　　　図３
2004060267.tif 000002
【特許請求の範囲】
【請求項１】
配管を受け入れて回動自在に支持される抱持部と、駆動装置に伝動手段を介して一体的に枢着された皿状の回転刃と、前記抱持部に前記駆動装置を連結する機体とを備え、前記駆動装置は機体に対して所定の方向と長さに摺動を規制する摺動規制手段による規制範囲において摺動自在に連結されていると共に、前記回転刃は皿状の凹面側が前記抱持部側に隣設配置されており、駆動装置の摺動による回転刃の摺動と、機体の押動による配管を中心とした回転刃の回動とにより、配管貫通部の周域面を配管と略同心で且つ極小径に円切りすることを特徴とする配管貫通部周囲の円切り切断機。
【請求項２】
前記摺動規制手段は、機体側に所定の方向と長さに穿設された規制長孔と、駆動装置側に突設されて規制長孔に係合する摺動突起とにより構成されていることを特徴とする請求項１に記載された配管貫通部周囲の円切り切断機。
【請求項３】
前記駆動装置は、機体に対して前記摺動規制手段により抱持部側へ下方斜動する斜動自在に連結されていることを特徴とする請求項１に記載された配管貫通部周囲の円切り切断機。
【請求項４】
前記駆動装置は、機体に対して前記摺動規制手段により上下動自在に連結されていることを特徴とする請求項１に記載された配管貫通部周囲の円切り切断機。
【請求項５】
前記抱持部は、機体に固定された受面を有する基板と、該受面に対向して摺動可能且つ機体に対して着脱可能に装着されていると共に、配管の周方向に間隔を置いて当接される一対傾斜面を有する抱持体とを備え、基板の受面と抱持体の一対傾斜面とにより三面支持機構を構成していることを特徴とする請求項１に記載された配管貫通部周囲の円切り切断機。
【発明の詳細な説明】
【０００１】
【発明の属する技術分野】
本発明は、配管貫通部周囲の円切り切断機に関し、詳しくは、構築物に配設されている各種配管を修復するために、構築物における床面，壁面等の配管貫通部の周域面を配管と略同心で且つ極小径に円切りする配管貫通部周囲の円切り切断機に関するものである。
【０００２】
【従来の技術】
従来、この種の円柱状物の周域面を円柱状物に対して同心状の円形状に切断する切断装置として、電柱ａの外周面にバンドｂを装着し、このバンドｂに対して周回自在に摺接させた外輪ｃと、路面切断車ｄとを回動アームｅによって連結して、路面切断車ｄを移動用車輪ｆで電柱ａの周囲を移動させることにより、路面切断車ｄに搭載された円盤状ブレードｇで電柱ａの周囲の路面を電柱ａに対して同心状の円形状に切断する路面切断装置が知られている（特開昭５９−４７０５号公報参照）。
【０００３】
【発明が解決しようとする課題】
しかしながら、上記従来技術の路面切断装置においては、電柱ａに取り付けた外輪ｃと、円盤状ブレードｇを搭載し移動用車輪ｆにより移動する路面切断車ｄとが回動アームｅによって連結されいるものであるから、移動用車輪ｆ及び円盤状ブレードｇによる路面切断車ｄの振動が回動アームｅを介して外輪ｃに伝達され、電柱ａの外周面に装着されたバンドｂに対して外輪ｃが円滑に周回されず、路面切断車ｄの円滑な移動に支障をきたすという不都合があった。
【０００４】
また、路面切断車ｄは電柱ａに取り付けられた外輪ｃと回動アームｅによって連結されているものであるから、路面切断車ｄの円盤状ブレードｇにより路面が切断される円形状は、回動アームｅの長さと路面切断車ｄの車幅により規制され、電柱ａに対して小径の円形状を切断することが困難であり、しかも、切断する円形状を可能な限り小径にすべく、円盤状ブレードｇを路面切断車ｄの電柱ａ寄りに配設しても、電柱ａから路面切断車ｄの距離に変化はなく、電柱ａを中心として回動アームｅの長さに路面切断車ｄの車幅を加えた範囲内に障害物がある場所では、路面の切断作業が不可能であるという不都合があった。
【０００５】
本発明は、上記従来技術における問題点を解決するもので、機体を配管に回動自在に支持すると共に、回転刃を機体に摺動自在に連結することにより、配管貫通部の周域面を配管と略同心で且つ極小径に円切りする配管貫通部周囲の円切り切断機を提供することを目的とするものである。
【０００６】
【課題を解決するための手段】
上記目的を達成するために、請求項１に係る発明は、配管を受け入れて回動自在に支持される抱持部と、駆動装置に伝動手段を介して一体的に枢着された皿状の回転刃と、前記抱持部に前記駆動装置を連結する機体とを備え、前記駆動装置は機体に対して所定の方向と長さに摺動を規制する摺動規制手段による規制範囲において摺動自在に連結されていると共に、前記回転刃は皿状の凹面側が前記抱持部側に隣設配置されており、駆動装置の摺動による回転刃の摺動と、機体の押動による配管を中心とした回転刃の回動とにより、配管貫通部の周域面を配管と略同心で且つ極小径に円切りするものである。
【０００７】
請求項１に係る発明によれば、駆動装置の摺動による回転刃の摺動と、機体の押動による配管を中心とした回転刃の回動とにより、配管貫通部の周域面を配管と略同心に円切りするのであるが、機体は抱持部により回動自在に配管に支持されていると共に、駆動装置と一体の回転刃は機体に対して摺動規制手段による規制範囲において摺動自在に連結されているから、回転刃によるほとんどの切削振動は、摺動規制手段による摺動自在な回転刃自体の摺動により吸収され、機体を介して抱持部に伝達されないため、機体は配管を中心として円滑に回動することができ、また、回転刃は抱持部側に隣設配置されているから、回転刃を配管に接近して配置することができるため、配管貫通部の周域面を極小径に円切りすることができ、しかも、機体は配管に回動自在に支持されると共に回転刃も機体を介して配管に支持されるものであるから、切断機のコンパクト化を図ることができるため、配管貫通部の周域面が狭小な場所においても円切り作業を円滑に行うことができる。
【０００８】
請求項２に係る発明は、請求項１に記載された発明において、摺動規制手段は、機体側に所定の方向と長さに穿設された規制長孔と、駆動装置側に突設されて規制長孔に係合する摺動突起とにより構成されているものである。
【０００９】
請求項２に係る発明によれば、配管貫通部の周域面を回転刃により円切りする場合に、回転刃による切削振動は駆動装置側に突設された摺動突起に伝達されるものの、摺動突起は機体側に所定の方向と長さに穿設された規制長孔に摺動自在に係合しているから、摺動突起に伝達された回転刃による切削振動は、機体側に穿設された規制長孔に対する摺動突起の摺動により吸収され、機体を介して抱持部に伝達されないため、機体は回転刃による切削振動の影響をうけることなく配管を中心として円滑に回動することができ、配管貫通部の周域面を回転刃により精度よく円切りすることができる。
【００１０】
請求項３に係る発明は、請求項１に記載された発明において、駆動装置は、機体に対して前記摺動規制手段により抱持部側へ下方斜動する斜動自在に連結されているものである。
【００１１】
請求項３に係る発明によれば、駆動装置と一体の皿状の回転刃は、機体に対して摺動規制手段により抱持部側へ下方斜動する斜動自在に構成されており、しかも、回転刃は皿状の凹面側が抱持部側に隣設配置されているから、配管貫通部の周域面を回転刃により円切りする場合に、回転刃の下端は駆動装置の摺動により配管貫通部の周域面から抱持部側（求心方向）へ下方斜動するため、回転刃における皿状の凸面側により円切りの外周方向（放射方向）へ切削することがなく、切削当初における回転刃の下端を切削位置に設定することにより、配管貫通部の周域面を配管と略同心の設定円形状に精度よく切断することができる。
【００１２】
請求項４に係る発明は、請求項１に記載された発明において、駆動装置は、機体に対して前記摺動規制手段により上下動自在に連結されているものである。
【００１３】
請求項４に係る発明によれば、駆動装置と一体の回転刃は、機体に対して摺動規制手段により上下動自在に構成されており、しかも、回転刃は抱持部側に隣設配置されているから、配管貫通部の周域面を回転刃により円切りする場合に、回転刃は駆動装置の摺動により下動するため、駆動装置と一体の回転刃を抱持部側に可能な限り接近させて隣設配置することができるので、切断機のコンパクト化をより一層に図ることができる。
【００１４】
請求項５に係る発明は、請求項１に記載された発明において、抱持部は、機体に固定された受面を有する基板と、該基板の受面に対向して摺動可能且つ機体に対して着脱可能に装着されていると共に、配管の周方向に間隔を置いて当接される一対の傾斜面を有する抱持体とを備え、基板の受面と抱持体の一対の傾斜面とにより三面支持機構を構成しているものである。
【００１５】
請求項５に係る発明によれば、抱持部は、基板の受面と抱持体の一対の傾斜面とにより三面支持機構を構成しているから、配管に対して切断機を安定に支持することができると共に、抱持部は配管に対して線接触で摺接抵抗が小さいため、配管に対して切断機を円滑に回動させることができ、しかも、一対の傾斜面を有する抱持体は基板の受面に対向して摺動可能であるから、径の異なる配管に対応することができる。
【００１６】
【発明の実施の形態】
以下、本発明の実施の形態を図に基づいて説明するが、本発明は、機体を配管に回動自在に支持させて機体を押動により回動させる回動手段と、該回動手段により回動させながら機体に摺動自在に設けられた回転刃により配管貫通部の周域面を切断する切断手段とを備えた配管貫通部周囲の円切り切断機であり、この円切り切断機で構築物における床面，壁面等の配管貫通部の周域面を配管と略同心で且つ極小径に円切りすることにより、構築物に配設されている各種配管の修復作業を行うものであり、図１〜図３は、円切り切断機の一実施例であり、また、図４は、同じく円切り切断機における摺動規制手段の他の実施例であり、さらに、図５及び図６は、同じく円切り切断機における抱持部の他の実施例である。
【００１７】
先ず、図１，図２及び図３を参照しながら、円切り切断機の一実施例について説明すると、円切り切断機は、配管Ａを受け入れて回動自在に支持される抱持部１と、駆動装置２に図示しない伝動手段を介して一体的に枢着された皿状の回転刃３と、抱持部１に駆動装置２を連結する機体４とを備えている。
【００１８】
抱持部１は、構築物に配設されている各種配管Ａを受け入れて配管Ａに回動自在に支持されるもので、外郭が略直方体に形成されており、その縦方向の中心部に抱持孔１１を有すると共に、抱持孔１１の軸心をとおって左右に分割される二分割型に構成され、分割された各抱持体１２，１２により配管Ａを挟持することで抱持孔１１に配管Ａを受け入れるようになっている。
【００１９】
駆動装置２には、下部に伝動手段を介して横方向に出力軸が配設され、この出力軸に周端部の内外両面に亘って研削粒子が接着された皿状の回転刃３が取付られており、また、駆動装置２には、前後方向の両側部に摺接板２３，２３が取付ボルト２１，２１により弾性ワッシャ２２，２２を介して取付けられている。
【００２０】
機体４は、前後方向に対向する一対の機体４，４により構成され、その一端部側（図示では右側）が抱持部１の左右方向に分割された各抱持体１２，１２の前後方向の両側部に複数のボルト１３により連結されており、機体４の端部に位置する一方の抱持体１２をボルト１３で脱着することにより、配管Ａを抱持孔１１に配管Ａを受け入れて、機体４を配管Ａに回動自在に支持させるようになっており、また、機体４の他端側（図示では左側）には駆動装置２の前後方向の両側部に取付けられている摺接板２３，２３が摺動規制手段５により連結されている。この機体４に対する駆動装置２の連結にあたっては、回転刃３は皿状の凹面側が抱持部１側に隣設配置されるように連結され、回転刃３を配管Ａに接近して配置することができるため、配管Ａの貫通部の周域面Ｂを極小径に円切りすることができ、しかも、機体４は配管Ａに回動自在に支持されると共に回転刃３も機体４を介して配管Ａに支持されるものであるから、切断機のコンパクト化を図ることができるため、配管Ａの貫通部の周域面Ｂが狭小な場所においても円切り作業を円滑に行うことができる。
【００２１】
摺動規制手段５は、機体４に設けられた抱持部１側へ下方傾斜する方向と回転刃３による切削深さを規制する規制長さとを有する規制長孔５１と、駆動装置２側の摺接板２３に設けられて規制長孔５１に係合する摺動突起５２とにより構成されており、この摺動規制手段５によって、駆動装置２は機体４に抱持部１側へ下方斜動する斜動自在に連結され、駆動装置２と一体の回転刃３は、機体４に対する駆動装置２の押動ないしは自重による摺動によって抱持部１側へ下方斜動し、配管Ａの貫通部の周域面Ｂから抱持部１側（求心方向）へ下方斜動するため、回転刃３における皿状の凸面側により円切りの外周方向（放射方向）へ切削することがないから、切削当初における回転刃３の下端を切削位置に設定することにより、配管Ａの貫通部の周域面Ｂを配管Ａと略同心の設定円形状に精度よく切断することができる。
【００２２】
なお、摺動規制手段５として、規制長孔５１に摺動突起５２が２個係合していることと、規制長孔５１と摺動突起５２との係合が上下２個所に設けられていることとは、いずれも駆動装置２が機体４に対して回動しないようにするためのものであり、また、摺接板２３，２３は、駆動装置２の前後方向の両側部に取付ボルト２１，２１と弾性ワッシャ２２，２２とにより摺接板２３，２３間の幅寸法を調整可能に取付けられており、取付ボルト２１，２１の締付けにより機体４に対する摺接板２３の摺接の強弱を調整することができるようになっている。
【００２３】
次に、図４を参照しながら、円切り切断機における摺動規制手段５の他の実施例について説明すると、図４に図示された摺動規制手段５は、機体４に上下方向に設けられ、且つ回転刃３による切削深さを規制する規制長さを有する規制長孔５１と、駆動装置２側の摺接板２３に設けられて規制長孔５１に係合する摺動突起５２とにより構成されており、この摺動規制手段５によって、駆動装置２は機体４に対して上下動自在に連結され、駆動装置２と一体の回転刃３は、機体４に対する駆動装置２の押動ないしは自重により下方へ摺動するものであるから、回転刃３を抱持部１側に可能な限り接近させて隣設配置することができるので、切断機のコンパクト化をより一層に図ることができる。
【００２４】
次に、図５及び図６を参照しながら、円切り切断機における抱持部１の他の実施例について説明すると、図５及び図６に図示された抱持部１は、対向する機体４，４に跨ってボルト１３により固定された受面１４を有する基板１５と、基板１５の受面１４に対向して配設されていると共に、配管Ａの周方向に間隔を置いて当接される凹状に形成された一対の傾斜面１６，１６を有する抱持体１７とからなり、抱持体１７は、対向する機体４，４に跨ってボルト１３，１３により着脱可能に装着されていると共に、ボルト１３，１３は、機体４，４に穿設された横方向の調整長孔１３’，１３’に嵌入されており、抱持体１７は、このボルト１３，１３と調整長孔１３’，１３’とにより、基板１５の受面１４に対向した状態で機体４，４に対して摺動且つ着脱可能に装着され、基板１５の受面１４と抱持体１７の一対の傾斜面１６，１６とにより三面支持機構を構成しているものである。
【００２５】
図５及び図６に図示された抱持部１は、基板１５の受面１４と抱持体１７の一対の傾斜面１６，１６とにより三面支持機構を構成しているから、配管Ａに対して切断機を安定に支持することができると共に、抱持部１は配管Ａに対して線接触で摺接抵抗が小さいため、配管Ａに対して切断機を円滑に回動させることができ、しかも、一対の傾斜面１６，１６を有する抱持体１７は基板１５の受面１４に対向して摺動可能であるから、切断機を径の異なる配管Ａに対応することができる。
【００２６】
【発明の効果】
以上のように構成される本発明によると、駆動装置の摺動による回転刃の摺動と、機体の押動による配管を中心とした回転刃の回動とにより、配管貫通部の周域面を配管と略同心に円切りするのであるが、機体は抱持部により回動自在に配管に支持されていると共に、駆動装置と一体の回転刃は機体に対して摺動規制手段による規制範囲において摺動自在に連結されているから、回転刃によるほとんどの切削振動は、摺動規制手段による摺動自在な回転刃自体の摺動により吸収され、機体を介して抱持部に伝達されないため、機体は配管を中心として円滑に回動することができ、また、回転刃は抱持部側に隣設配置されているから、回転刃を配管に接近して配置することができるため、配管貫通部の周域面を極小径に円切りすることができ、しかも、機体は配管に回動自在に支持されると共に回転刃も機体を介して配管に支持されるものであるから、切断機のコンパクト化を図ることができるため、配管貫通部の周域面が狭小な場所においても円切り作業を円滑に行うことができる。
【図面の簡単な説明】
【図１】本発明に係る配管貫通部周囲の円切り切断機の一実施例の正面図である。
【図２】図１の平面図である。
【図３】本発明に係る配管貫通部周囲の円切り切断機の一実施例における円切り状態を示す正面図である。
【図４】本発明に係る配管貫通部周囲の円切り切断機における摺動規制手段の他の実施例の円切り状態を示す正面図である。
【図５】本発明に係る配管貫通部周囲の円切り切断機における抱持部の他の実施例を示す正面図である。
【図６】図５の平面図である。
【図７】従来技術の説明図である。
【符号の説明】
１　…抱持部
１４…受面
１５…基板
１６…一対の傾斜面
１７…抱持体
２　…駆動装置
３　…回転刃
４　…機体
５　…摺動規制手段
５１…規制長孔
５２…摺動突起
Ａ　…配管
Ｂ　…周域面
Ｃ　…円切り
【図１】
2004060267.tif 000003
【図２】
2004060267.tif 000004
【図３】
2004060267.tif 000005
【図４】
2004060267.tif 000006
【図５】
2004060267.tif 000007
【図６】
2004060267.tif 000008
【図７】
2004060267.tif 000009